(57)【要約】【課題】情報通信端末の利用者が店舗等のローカルエリアに滞在するときに、そのローカルエリアに関する情報の提供を情報通信端末で受けることができる情報提供システムを提供する。【解決手段】無線通信可能エリア９３０に存在している情報通信端末１０から受信したコンテンツ要求を通信ネットワーク７０上のサーバ５０に転送しコンテンツ要求に対応するコンテンツを情報通信端末１０に転送するように情報通信端末１０と通信ネットワークとの間の通信を中継する通信中継手段３０と、ローカルエリア関連情報及びローカルエリア関連情報を取得可能なリンク情報の少なくとも一方を保存する情報保存手段とを備える。通信中継手段３０は、情報通信端末１０に転送されるコンテンツと一緒にローカルエリア関連情報及びリンク情報の少なくとも一方が情報通信端末１０に出力されるように情報通信端末１０に送信する。【選択図】図１
2010136139.tif 000002
【特許請求の範囲】
【請求項１】
情報通信端末に情報を提供する情報提供システムであって、
店舗、施設、家庭又はオフィスにおけるローカルエリアと同程度のエリアに前記情報通信端末との無線通信が可能な無線通信可能エリアが設定され、該無線通信可能エリアに存在している前記情報通信端末から受信したコンテンツ要求を通信ネットワーク上のサーバに転送し、該コンテンツ要求に対応するコンテンツを該情報通信端末に転送するように、該情報通信端末と該通信ネットワークとの間の通信を中継する通信中継手段と、
前記ローカルエリアに関連したローカルエリア関連情報及び該ローカルエリア関連情報を取得可能なリンク情報の少なくとも一方を保存する情報保存手段と、を備え、
前記通信中継手段は、前記サーバから前記情報通信端末に転送される前記コンテンツと一緒に前記ローカルエリア関連情報及び前記リンク情報の少なくとも一方が前記情報通信端末に出力されるように、前記情報保存手段に保存されている前記ローカルエリア関連情報及び前記リンク情報の少なくとも一方を前記情報通信端末に送信することを特徴とする情報提供システム。
【請求項２】
請求項１の情報提供システムにおいて、
前記通信中継手段は、前記ローカルエリア関連情報及び前記リンク情報の少なくとも一方を含むコンテンツを、外部の通信ネットワークから前記情報通信端末に転送されるポータルサイトのＷＥＢコンテンツの一部分に追加表示される追加表示コンテンツとして前記情報通信端末に送信することを特徴とする情報提供システム。
【請求項３】
請求項１又は２の情報提供システムにおいて、
前記ローカルエリア関連情報及び前記リンク情報の少なくとも一方の作成に使用可能な情報作成手段を更に備え、
前記情報保存手段は、前記情報作成手段で作成された前記ローカルエリア関連情報及び前記リンク情報の少なくとも一方を保存することを特徴とする情報提供システム。
【請求項４】
請求項１又は２の情報提供システムにおいて、
前記ローカルエリア関連情報及び前記リンク情報の少なくとも一方を前記通信ネットワークを介して取得する情報取得手段を更に備え、
前記情報保存手段は、前記情報取得手段で取得された前記ローカルエリア関連情報及び前記リンク情報の少なくとも一方を保存することを特徴とする情報提供システム。
【請求項５】
請求項１、２、３又は４の情報提供システムにおいて、
前記通信中継手段は、前記ローカルエリアと同程度のエリアに移動体通信の無線通信可能エリアが設定された小型無線基地局又は無線ＬＡＮ中継装置であることを特徴とする情報提供システム。
【発明の詳細な説明】
【技術分野】
【０００１】
本発明は、情報通信端末に情報を提供する情報提供システムに関する。
【背景技術】
【０００２】
従来、携帯可能な情報通信端末である携帯電話機に情報を提供する方法として、Ｐｕｌｌ型の情報提供方法、Ｐｕｓｈ型の情報提供方法および位置ベースの情報提供方法が知られている。Ｐｕｌｌ型の情報提供方法は、利用者による携帯電話機の操作、例えば携帯電話機の入力画面で掲示板やＷＥＢページ等のＷＥＢサイトのＵＲＬを入力したり検索サイトでキーワードを入力して検索したりする操作により、通信ネットワーク上のサイトにアクセスして必要な情報を取得する方法である。また、Ｐｕｓｈ型の情報提供方法は、通信ネットワーク上のサーバや他の通信端末から配信されてくるメールマガジン等の配信情報に記載されているリンク先にアクセスして必要な情報を取得する方法である。また、位置ベースの情報提供方法は、携帯電話通信網側のサーバに所定のタイミングで登録される携帯電話機の位置登録情報や、携帯電話機に設けたＧＰＳ機能によって取得された位置情報に基づいて、携帯電話機の現在位置に関連した情報をメール等で配信する方法である。また、この位置ベースの情報提供方法としては、ＷＥＢページにアクセスするときに位置情報を携帯電話機からサーバに送信し、その位置情報に関連した周辺情報をサーバから携帯電話機に配信して表示する方法もある。
【発明の開示】
【発明が解決しようとする課題】
【０００３】
上記従来のＰｕｌｌ型の情報提供方法では、利用者が必要とする情報に正確にアクセスするにはある程度の専門能力が必要とされる。携帯電話機の場合は、入力キーなどがある操作部が小さいため、ＷＥＢサイトのＵＲＬを入力したり検索サイトでキーワードを入力して検索したりするときの操作が煩わしく不便である。
また、上記従来のＰｕｓｈ型の情報提供方法では、サーバから所定のタイミングで配信されてくる配信情報が必要とする情報ばかりとは限らない。すなわち、サーバからの配信情報と利用者が必要とする情報とのマッチング度合が悪い。また、あまりに頻繁に配信情報が送られてきても、それらの情報を閲覧できないばかりでなく不要な情報を削除するための手間もかかる。
また、上記従来の位置ベースの情報提供方法では、利用者の携帯電話機に配信される配信情報は、その携帯電話機の現在位置に関連した情報ではあるが、その利用者にとって、そのときに必ずしも必要な情報とは限らない。
【０００４】
本発明は以上の問題点に鑑みなされたものであり、その目的は、情報通信端末の利用者が店舗、施設、家庭又はオフィスのローカルエリアに滞在するときに、そのローカルエリアに関する情報の提供を情報通信端末で受けることができる情報提供システムを提供することである。
【課題を解決するための手段】
【０００５】
本発明に係る情報提供システムは、情報通信端末に情報を提供する情報提供システムであって、店舗、施設、家庭又はオフィスにおけるローカルエリアと同程度のエリアに前記情報通信端末との無線通信が可能な無線通信可能エリアが設定され、該無線通信可能エリアに存在している前記情報通信端末から受信したコンテンツ要求を通信ネットワーク上のサーバに転送し、該コンテンツ要求に対応するコンテンツを該情報通信端末に転送するように、該情報通信端末と該通信ネットワークとの間の通信を中継する通信中継手段と、前記ローカルエリアに関連したローカルエリア関連情報及び該ローカルエリア関連情報を取得可能なリンク情報の少なくとも一方を保存する情報保存手段とを備える。前記通信中継手段は、前記サーバから前記情報通信端末に転送される前記コンテンツと一緒に前記ローカルエリア関連情報及び前記リンク情報の少なくとも一方が前記情報通信端末に出力されるように、前記情報保存手段に保存されている前記ローカルエリア関連情報及び前記リンク情報の少なくとも一方を前記情報通信端末に送信する。情報通信端末の利用者は、通信中継手段から受信したローカルエリア関連情報を出力したり、通信中継手段から受信したリンク情報に基づいてローカルエリア関連情報を取得して出力したりすることができる。これにより、情報通信端末の利用者は、その利用者が滞在している店舗、施設、家庭又はオフィスにおけるローカルエリアに関連するローカルエリア関連情報の得ることができる。
【０００６】
前記情報提供システムにおいて、前記通信中継手段は、前記ローカルエリア関連情報及び前記リンク情報の少なくとも一方を含むコンテンツを、外部の通信ネットワークから前記情報通信端末に転送されるポータルサイトのＷＥＢコンテンツの一部分に追加表示される追加表示コンテンツとして前記情報通信端末に送信するものであってもよい。この場合、前記通信中継手段は、ＨＴＴＰＤ等のＷＥＢサーバ機能を備えるように構成してもよい。
また、前記情報提供システムにおいて、前記ローカルエリア関連情報は、前記ローカルエリアの店舗又は施設で提供されているサービスに関する情報、店舗又は施設の広告情報、店舗又は施設で流れている音楽や放映されている映像、家庭におけるセキュリティ情報であってもよい。
また、前記情報提供システムにおいて、前記ローカルエリア関連情報及び前記リンク情報の少なくとも一方の作成に使用可能な情報作成手段を更に備え、前記情報保存手段は、前記情報作成手段で作成された前記ローカルエリア関連情報及び前記リンク情報の少なくとも一方を保存するように構成してもよい。
また、前記情報提供システムにおいて、前記ローカルエリア関連情報及び前記リンク情報の少なくとも一方を前記通信ネットワークを介して取得する情報取得手段を更に備え、前記情報保存手段は、前記情報取得手段で取得された前記ローカルエリア関連情報及び前記リンク情報の少なくとも一方を保存するように構成してもよい。
また、前記情報提供システムにおいて、前記通信中継手段は、前記ローカルエリアと同程度のエリアに移動体通信の無線通信可能エリアが設定された小型無線基地局又は無線ＬＡＮ中継装置であってもよい。
また、前記情報提供システムにおいて、前記通信中継手段と前記情報保存手段とは、同じ筐体内に設けてもよいし、別々の筐体内に設けて個別装置としてもよい。
【発明の効果】
【０００７】
本発明によれば、情報通信端末の利用者が店舗、施設、家庭又はオフィスのローカルエリアに滞在するときに、そのローカルエリアに関する情報の提供を情報通信端末で受けることができる。
【発明を実施するための最良の形態】
【０００８】
図１は、本発明の一実施形態に係る情報提供システムの概要を示す説明図である。図示の例は、情報通信端末としての携帯電話機等の移動体通信端末であるユーザ端末装置（ＵＥ：User Equipment）１０の利用者１が、そのユーザ端末装置１０を持って店舗としての飲食店に入ったときの例である。この飲食店の内部のエリアは、利用者１にこの飲食店のサービスを提供するサービス提供エリア９２０となっている。飲食店の内部のエリアには、当該飲食店で提供されるサービスに関連したローカルエリア情報を作成又は編集するためのサービス関連情報作成手段としてノート型パーソナルコンピュータ等のコンピュータ装置２０が置かれ、飲食店のスタッフ２が操作できるようになっている。
【０００９】
また、上記飲食店の内部のエリアには、通信ネットワークの通信中継手段としての小型基地局３０が設置され、その小型基地局３０と飲食店の中に存在しているユーザ端末装置１０とが所定の周波数及び通信形式で無線通信可能な無線通信可能エリア９３０にもなっている。この無線通信可能エリア９３０は、上記サービス提供エリア９２０と同程度の広さのエリアになっている。上記小型基地局３０は、移動体通信ネットワークにおいて屋外に設置されている通常の半径数百ｍ乃至数ｋｍ程度の広域エリアをカバーする広域の基地局とは異なり、無線通信可能距離が数十ｍ乃至数ｍ程度であり、一般家庭（自宅建物）、店舗、オフィス、各種施設等の屋内にも設置される。この小型基地局３０は、移動体通信ネットワークにおける広域の基地局がカバーするセルよりも小さなフェムトセルをカバーするように設けられるため、「フェムト基地局」と呼ばれる場合もある。この小型基地局３０は、図示しない通信回線接続装置としてのＡＤＳＬモデムに接続され、移動体通信網を含む通信ネットワーク７０を介して、ローカルエリア関連情報を提供するＷＥＢサーバ５０や、携帯電話機用ポータルサイト等の所定のポータルサイトのＷＥＢサーバ６０等に接続可能に構成されている。なお、上記小型基地局３０と通信ネットワーク７０との通信を中継する通信回線接続装置は、上記ＡＤＳＬモデムのほか、有線の公衆通信回線である光ファイバーの通信回線を用いる光回線接続装置等であってもよい。また、上記通信回線接続装置は、専用回線を介して通信ネットワーク７０との通信を中継する装置であってもよい。
【００１０】
図２は、上記店舗のローカルエリア関連情報をユーザ端末装置に提供することができる情報提供システムの一構成例を示すブロック図である。この情報提供システムは、上記コンピュータ装置２０と、上記通信中継手段としての小型基地局３０とを用いて構成される。
【００１１】
上記情報作成手段としてのコンピュータ装置２０は、ＣＰＵ２０１と、ＲＡＭ２０２と、ＲＯＭ２０３と、ディスプレイコントローラ２０４と、ディスプレイ２０５と、キーコントローラ２０６と、キーボード２０７と、ハードディスクコントローラ２０８と、ハードディスク２０９と、ネットワークコントローラ２１０とを備えている。
【００１２】
上記ＣＰＵ２０１は、各種の演算や、ＲＡＭ２０２、ＲＯＭ２０３、ディスプレイコントローラ２０４、キーコントローラ２０６、ハードディスクコントローラ２０８及びネットワークコントローラ２１０に対するデータの入出力の少なくとも一方を行う。上記ＲＡＭ２０２は、ＤＲＡＭ等のメモリモジュールから構成され、データを一時的に保持することができる。上記ＲＯＭ２０３は、マスクＲＯＭ等のメモリモジュールから構成され、電力の供給がなくても予め書き込まれたデータを記憶し続けることができる。ＲＯＭ２０３には、ＢＩＯＳプログラム等のプログラムが記憶されている。
【００１３】
上記ディスプレイコントローラ２０４は、ディスプレイの表示機能をコントロールするコントローラであり、周知のマイコンやＶＲＡＭ等から構成されている。上記ディスプレイ２０５は、多色表示可能なバックライト付き液晶ディスプレイである。同様のものであれば、液晶ディスプレイでなくてもよく、有機ＥＬディスプレイ等でもよい。上記キーコントローラ２０６は、周知のマイコン類から構成されるコントローラであり、キーボード２０７や図示しないマウス等から得られる電気信号を処理して、処理した信号をＣＰＵ２０１に送る。上記キーボード２０７は、利用者が文字を入力する際に用いられるものであり、利用者によって押されたキーに対応する電気信号を出力するようになっている。上記ハードディスクコントローラ２０８は、周知のマイコン類から構成されるコントローラであり、ハードディスク２０９に対するデータの読み書き等を制御する。上記ハードディスク２０９は、広く知られた磁気記憶装置であり、電源の供給がなくてもデータを記憶し続けることができる。ハードディスク２０９には、ＣＰＵ２０１で実行するためのオペレーションシステム等が記憶されている。
【００１４】
上記ネットワークコントローラ２１０は、外部の他の装置と通信を行うためのコントローラであり、例えばＵＳＢ（Universal Serial Bus）、Ethernet（登録商標）等の有線回線や、Bluetooth、Ｗｉ−Ｆｉ、赤外線等の無線回線等の通信回線を介して、小型基地局３０とデータの送受信を行うことができる。ここで、Ｗｉ−Ｆｉは、ＩＥＥＥ(米国電気電子学会)の規格「IEEE 802.11a/IEEE 802.11b」で策定された無線ＬＡＮ（Local Area Network）の標準規格である。
【００１５】
上記小型基地局３０は、例えば、ＣＰＵ、半導体メモリ等の内部記憶装置、ハードディスク等の外部記憶装置、通信処理装置、アンテナ等のハードウェアで構成され、内部記憶装置又は外部記憶装置に記憶されている所定のプログラムを読み出しＣＰＵで実行することにより、次の各部の機能を実現することができる。この小型基地局３０は、主制御部３０１と、無線通信部３０２と、情報保存手段としてのデータ記憶部３０３と、網側通信部３０４と、外部接続通信部３０５と、ＨＴＴＰＤ（Hyper Text Transfer Protocol Daemon）部３０６とを備える。主制御部３０１は、上記無線通信部３０２等の他の各部と制御データ等を送受信することにより各部を制御する。上記無線通信部３０２は、所定の周波数及び通信方式の無線通信によりユーザ端末装置１０と通信することができる。ユーザ端末装置１０は、この無線通信により、通信ネットワーク７０側とデータ通信等を行うことができる。上記情報保存手段としてのデータ記憶部３０３は、ユーザ端末装置１０と通信ネットワーク７０側との間の通信を中継するための各種情報や、店舗内においてユーザ端末装置１０に提供するための店舗のローカルエリア情報を記憶する。上記網側通信部３０４は、光ファイバ、ＡＤＳＬ、Ethernet（登録商標）ケーブル等の通信回線を介して、通信ネットワーク７０のコアネットワークを構成する交換器等と通信する通信処理を実行する。この網側通信部３０４により、通信ネットワーク７０上のＷＥＢサーバ５０等の各種サーバやノードと通信することもできる。上記外部接続部３０５は、ＵＳＢ（Universal Serial Bus）、Ethernet（登録商標）等の有線回線や、Bluetooth（登録商標）、Ｗｉ−Ｆｉ（Wireless Fidelity）、赤外線等の無線回線等の通信回線を介して、コンピュータ装置２０とデータの送受信を行うことができる。上記ＨＴＴＰＤ部３０６は、ＷＥＢサーバ機能としてのＨＴＴＰＤ機能を有し、外部の通信ネットワーク７０からユーザ端末装置１０に転送するポータルサイトのＷＥＢコンテンツに追加表示する追加表示コンテンツとして、店舗のローカルエリア関連情報又はそのローカルエリア関連情報を取得可能なリンク情報をユーザ端末装置１０に送信する処理を行う。
【００１６】
なお、本実施形態ではユーザ端末装置（移動体通信端末）１０による移動体通信を中継する小型基地局３０を設けているが、ＷｉＦｉ等の無線ＬＡＮ中継装置、ＰＨＳ（Personal Handyphone System）用の無線基地局、ＺｉｇＢｅｅ（登録商標）用無線装置、Ｂｌｕｅｔｏｏｔｈ（登録商標）用無線装置、又はＩｒＤＡ（赤外線通信）用無線装置などの通信中継装置を用いることもできる。これらの通信中継装置は、外部の通信ネットワーク７０との通信を中継するように構成され、無線ＬＡＮ機能、ＰＨＳ通信機能、ＺｉｇＢｅｅ（登録商標）通信機能、Ｂｌｕｅｔｏｏｔｈ（登録商標）通信機能、又はＩｒＤＡ通信機能を備え、コンピュータ装置や携帯端末装置等のユーザ端末装置１０と組み合わせて用いられる。
【００１７】
図３（ａ）はユーザ端末装置１０の一構成例を示す外観図であり、図４は、そのユーザ端末装置１０のハードウェア構成の一例を示す概略構成図である。ユーザ端末装置１０は、システムバス１００、プロセッサとしてのＣＰＵ１０１、ＲＡＭ１０２やＲＯＭ１０３等の記憶装置、入力装置１０４、出力装置１０５、通信ネットワーク側と無線通信する無線通信装置１０６を備えている。ＣＰＵ１０１やＲＡＭ１０２等の構成要素は、システムバス１００を介して、互いに各種データやプログラムの命令等のやり取りを行っている。
【００１８】
上記ＣＰＵ１０１は、上記記憶装置から所定のプログラムを読み込んで実行することにより、ネイティブ側の電話機プラットフォームの基本ソフトＯＳ上で、音声通話機能や、アプリケーションソフト（以下「アプリケーション」という。）による各種機能を実現することができる。このアプリケーションによる機能としては、ＷＥＢブラウザー、メーラー、音楽再生、動画表示、外部装置とのデータ送受信、アドレス帳管理、スケジューラ、メモ帳等がある。このＷＥＢブラウザー、メーラー、音楽再生、動画表示等のアプリケーションを起動し、そのアプリケーション上で各種メッセージ（メール）の送受信を行ったり、受信したメッセージに含まれるテキストや画像（静止画、動画）コンテンツや音声や音楽等のオーディオコンテンツを出力したり、受信した情報を出力したりすることができる。
【００１９】
上記入力装置１０４は、データ入力キー（テンキー、＊キー、＃キー）１１、通話開始キー１２、終話キー１３、スクロールキー１４、多機能キー１５、マイク１６、ＷＥＢアクセスキー１９等から構成されている。この入力装置１０４のテンキー１１、通話開始キー１２、終話キー１３等により、利用者が操作可能な操作部が構成される。この操作部を操作することにより、利用者は、各種メッセージを送受信したり、メッセージに添付されている画像ファイルを展開して表示したり、音楽ファイルを展開して再生したり、配信情報を出力したり、アプリケーションプログラムを選択して実行したりすることができる。また、利用者は上記操作部を操作することにより、情報取得先のＵＲＬ等のデータを入力したり、電話着信の際に通話の開始及び終了を行ったり、アプリケーションプログラムの選択、起動及び停止を行ったりすることができる。また、利用者は上記操作部を操作することにより、通信ネットワーク上のサーバから画像ファイル、音楽ファイル、アプリケーションプログラム等のコンテンツをダウンロードして登録することができる。
【００２０】
上記出力装置１０５は、表示手段である液晶ディスプレイ（ＬＣＤ）等の表示部１７、音出力手段であるスピーカー等からなる音出力部１８、図示しない振動デバイス等から構成されている。上記液晶ディスプレイ（ＬＣＤ）等からなる表示部１７やスピーカー等からなる音出力部で構成されている出力部は、通信ネットワーク側から各種メッセージ及び情報やその着信通知を受信した旨を利用者に知らせたり、各種テキストや画像（静止画、動画）を表示部１７に表示したり、各種音声や音楽をスピーカー１８から出力したりするときに用いられる。上記受信した情報、メッセージ及びそれらの着信通知の受信を利用者に知らせるときは、表示部１７に着信報知画像を表示したり、音出力部１８から着信音を出力させたりする。
また、上記出力装置１０５は、通信ネットワーク７０を介して受信した情報やＷＥＢページのコンテンツを表示部１７に表示したり、通信ネットワーク７０から情報等を着信した旨を利用者に知らせたりするときにも用いられる。また、上記出力装置１０５は、上記ゲーム等のアプリケーションプログラムの実行中に、そのプログラム実行に関連した画像の表示や音の出力に用いたり、ＷＥＢサーバ５０、６０から受信した情報を表示したりするときにも用いられる。
なお、上記音出力部１８は、通話中の音声を聞くための受話器用スピーカー（レシーバ）と、着信音や音楽などを出力する外部出力用スピーカーとを別々に設けて構成してもいいし、これらの受話器用スピーカー及び外部出力用スピーカーを兼用するように一つのスピーカーで構成してもよい。
【００２１】
上記出力装置１０５を構成する振動デバイスは、この振動デバイスは、マナーモード（サイレントモード）設定時などに音声電話を着信したりメッセージや各種情報を受信したりしたときに、ユーザ端末装置１０の全体を振動させ、その着信等を利用者に知らせるように制御することができる。
【００２２】
上記無線通信装置１０６は、変復調器、シンセサイザ、周波数変換器，高周波増幅器などにより構成され、上記小型基地局３０等の各種基地局と所定の周波数及び通信方式で無線通信を行い、通信ネットワーク７０を介して他のユーザ端末装置や各種サーバ等と通信するときに用いられる。この無線通信装置１０６は、通信ネットワーク７０を介して他のユーザ端末装置とＭＭＳメッセージのやり取りを行ったり、通信ネットワーク７０からゲートウェイサーバを介して、インターネット等の外部の通信ネットワークに接続し、インターネット上の通信端末との各種メッセージのやり取り等を行ったりするための通信手段としても用いられる。更に、この無線通信装置１０６は、通信ネットワーク７０を介して、ダウンロードサーバが提供するアプリケーションプログラムをダウンロードしたり、各種情報を受信したりする情報受信手段としても用いられる。
【００２３】
なお、上記ユーザ端末装置１０から上記小型基地局３０にアクセスして情報を取得して表示部１７に表示するときのアプリケーションとしては、いわゆる「Ａｊａｘ」（Asynchronous JavaScript（登録商標） + XML）と呼ばれるＷＥＢブラウザのアプリケーション技術を用いてもよい。この「Ａｊａｘ」というアプリケーション技術では、XMLHttpRequest（ＨＴＴＰ通信を行うためのJavaScriptの組み込みクラス）による非同期通信を利用し、通信結果に応じてダイナミックＨＴＭＬで動的にＷＥＢページの一部を書き換えることができる。この「Ａｊａｘ」は、ユーザ端末装置１０からＷＥＢサーバ５０、６０にアクセスして情報を取得表示する場合にも用いることができる。
【００２４】
また、上記ユーザ端末装置１０は、利用者が通信ネットワーク上のサーバからアプリケーションのプログラムをダウンロードして登録し、その登録済みのアプリケーションをユーザが任意に選択して実行可能に構成してもよい。この利用者が選択実行可能なアプリケーションとして、後述の店舗関連情報を受信して表示するための情報受信用のアプリケーションを登録しておいてもよい。この情報受信用のアプリケーションは、上記ユーザがダウンロードして登録したアプリケーションのほか、ユーザ端末装置１０のネイティブ領域に予めインストールされているアプリケーションであってもよい。
【００２５】
なお、上記ユーザ端末装置１０は、携帯電話機に限らず、ＰＤＡ（Personal Digital Assistants）や、ノート型パーソナルコンピュータ等の携帯型のコンピュータ装置でもよい。
【００２６】
次に、利用者１が飲食店に入り、上記ユーザ端末装置１０を用いて、その飲食店のローカル関連情報を取得する手順について説明する。
【００２７】
図５は、利用者１がユーザ端末１０を持って飲食店に入ったときに、その飲食店に関連したローカルエリア関連情報を利用者１のユーザ端末装置１０に提供する処理手順の一例を示すシーケンス図である。なお、図中のかっこ内の数字は処理手順のステップの順番を示している（以下のシーケンス図でも同様。）。この例では、上記コンピュータ装置２０及び上記小型基地局３０が飲食店内に設けられ、その飲食店内に入った利用者１が位置する可能性があるエリアが、飲食店のサービス提供エリア９２０及び小型基地局３０による無線通信可能エリア９３０になっている。
【００２８】
まず、飲食店のスタッフ２があらかじめコンピュータ装置２０で店舗のローカルエリア関連情報を作成又は編集し（ステップ１）、作成又は編集したローカルエリア関連情報を小型基地局３０に送信しておく（ステップ２）。小型基地局３０で受信されたローカルエリア関連情報は、小型基地局３０のＨＴＴＰＤで管理されるデータ記憶部３０３における所定アドレス（ＵＲＬ）に保存され、ユーザ端末装置１０から取得可能になっている（ステップ３）。
【００２９】
次に、利用者１がユーザ端末装置１０を持って飲食店に入ると、ユーザ端末装置１０が小型基地局３０の無線通信可能エリア９３０に在圏したことを検知し（ステップ４）、ユーザ端末装置１０の位置情報を小型基地局３０に送信し位置登録を行う（ステップ５）。そして、利用者１が飲食店内でユーザ端末装置１０のＷＥＢアクセスキー１９を押下すると、ユーザ端末装置１０は、ＷＥＢブラウザのアプリケーションを起動し、小型基地局３０を介して所定のポータルサイトにアクセスし、ポータルサイトのＷＥＢページを表示するためのＨＴＭＬファイルを受信する（ステップ６，７）。このＨＴＭＬファイルには、例えば図６（ａ）の点線部分３３０に示すように、ポータルサイトのＷＥＢページに所定のリンク情報を含む追加表示コンテンツを追加表示するための所定の記述が含まれている。本例では、上記追加表示コンテンツとしてのＪａｖａＳｃｒｉｐｔファイルが保存されている小型基地局３０のＨＴＴＰＤの所定アドレス（ＵＲＬ）と、そのＪａｖａＳｃｒｉｐｔ（登録商標）ファイルのファイル名（図示の例では、「Ｆｅｍｔｏ．ｊｓ」）とが記述されている。
【００３０】
上記ＨＴＭＬファイルを受信したユーザ端末装置１０は、そのＨＴＭＬファイルの記述に基づいて、小型基地局３０のＨＴＴＰＤの所定アドレス（ＵＲＬ）にアクセスし追加表示コンテンツを取得する（ステップ８，９）。例えば、ユーザ端末装置１０は、上記追加表示コンテンツとして、図６（ｂ）に示すような記述を含むＪａｖａＳｃｒｉｐｔファイルを受信する。このＪａｖａＳｃｒｉｐｔファイルには、当該飲食店に関係するローカルエリア関連情報を取得するためのリンク情報がアンカータグ３３１で記述されている。ユーザ端末装置１０は、上記ＨＴＭＬファイル及びＪａｖａＳｃｒｉｐｔファイルに基づいて、上記ローカルエリア関連情報を取得するためのリンク情報が設定された追加表示コンテンツが所定の位置に挿入されたポータルサイトのＷＥＢページを、表示部１７に表示する（ステップ１０）。例えば、図７（ａ）の例では、ポータルサイトのＷＥＢページの破線で囲った部分に、その飲食店のローカルエリア関連情報を取得するためのリンク情報が設定された、「お店の情報はこちら」１７ａの追加表示コンテンツが追加表示されている。
【００３１】
上記図７（ａ）の画面において、利用者１が「お店の情報はこちら」１７ａを選択すると（ステップ１１）、ユーザ端末装置１０は、上記ＪａｖａＳｃｒｉｐｔファイルのアンカータグ３３１に記述されているＷＥＢサーバ５０の所定ＵＲＬにアクセスし、図７（ｂ）に示すような飲食店のローカルエリア関連情報、例えば、明日の定食のメニュー画像及び割引情報等の店舗の広告情報を取得し、表示部１７に表示する（ステップ１２〜１４）。また、図示しないが、飲食店の他のローカルエリア関連情報としては、その飲食店で提供する料理のメニューや価格、お店の特徴やオーナーのプロフィール情報、等が挙げられる。上記図７（ｂ）のローカルエリア関連情報の画面には、例えば明日の定食の割引チケットをダウンロードするための「ＧＥＴ」ボタン１７ｃ等を表示してもよい。また、利用者１が現在の飲食店のローカルエリア関連情報を知りたくない場合には、上記ステップ１１でリンク情報の選択をしなければよいので、表示部１７に店舗のローカルエリア関連情報を表示するか否かは利用者の判断に委ねられる。
【００３２】
なお、ユーザ端末装置１０のＷＥＢアクセスキー１９を押下してＷＥＢにアクセスしたときに、ポータルサイトのトップページに「お店の情報はこちら」１７ａといったリンク情報の表示は省略し、トップページに直接そのお店のローカルエリア関連情報を表示させるようにしてもよい。
【００３３】
図８は、ＷＥＢサイトへのアクセスを開始するときのポータルサイトのトップページに店舗のローカルエリア関連情報へのリンク情報の表示を省略し、直接ローカルエリア関連情報を表示する処理手順の一例を示すシーケンス図である。図中のステップ１からステップ７までの処理手順は上記図５の場合と同じなので、説明を省略する。上記ＨＴＭＬファイルを受信したユーザ端末装置１０は、そのＨＴＭＬファイルの記述に基づいて、小型基地局３０のＨＴＴＰＤの所定アドレス（ＵＲＬ）にアクセスし追加表示コンテンツを取得する（ステップ８，９）。ここで、小型基地局３０は、追加表示コンテンツとして、上記リンク情報の代わりに、当該飲食店に関係するローカルエリア関連情報をユーザ端末装置１０に送信する。ユーザ端末装置１０は、ローカルエリア関連情報が所定の位置に挿入されたポータルサイトのＷＥＢページを、表示部１７に表示する（ステップ１０）。このように利用者１が飲食店内でユーザ端末装置１０を操作し、ＷＥＢにアクセスすると、自動的に表示部１７に飲食店のローカルエリア関連情報が表示されるので、ローカルエリア関連情報へのリンク情報を選択する操作を省略できる。
【００３４】
なお、上記構成に加え、もしくは、上記情報作成手段としてのコンピュータ装置に代えて、ローカルエリア関連情報を通信ネットワークを介して取得するための情報取得手段を備えてもよい。例えば、ハンバーガーショップやファミリーレストランなどのチェーン店であれば、チェーン店を統括する本社のＷＥＢサーバ５０から通信ネットワークを介して店舗のローカルエリア関連情報を取得することができる。これにより、どの店舗でも同じ内容のローカルエリア関連情報を利用者に提供することができる。また、本社のＷＥＢサーバ５０でローカルエリア関連情報の内容を更新することにより、各店舗で最新のローカルエリア関連情報を利用者に提供することができる。さらに、各店舗のスタッフが店舗に設置されたコンピュータ装置を操作してローカルエリア関連情報の作成や編集をしなくてもよくなり、スタッフの労力が軽減される。
【００３５】
以上、本実施形態によれば、利用者１が飲食店等の店舗に入ってユーザ端末装置１０でＷＥＢにアクセスすると、そのＷＥＢサイトへのアクセスを開始するときのポータルサイトのＷＥＢページの一部に、利用者が入った店舗のローカルエリア関連情報にアクセスするリンク情報又はローカルエリア関連情報が一緒に表示される。このように利用者１は、キーワード等の入力を行うことなく、容易に店舗のローカルエリア関連情報をユーザ端末装置１０の表示部１７に表示させて、その情報を取得することができる。
【００３６】
なお、上記図５の実施形態では、ユーザ端末装置１０がポータルサイトのＷＥＢページ上のリンク情報に基づいて、ローカルエリア関連情報を通信中継手段である小型基地局３０から取得しているが、本発明は、ユーザ端末装置１０がローカルエリア関連情報を外部の通信ネットワーク上のＷＥＢサーバ５０から取得する場合にも適用できる。
【００３７】
また、上記各実施形態では、利用者が飲食店等の店舗に入った場合について説明したが、本発明は、歯医者等の医療施設に利用者が入ってＷＥＢアクセスしたときに、歯列矯正の情報等のローカルエリア関連情報をユーザ端末装置１０に表示したり、パチンコ店等の遊技施設に利用者が入ってＷＥＢアクセスしたときにその遊技施設のキャンペーン情報等のローカルエリア関連情報をユーザ端末装置１０に表示したりする場合にも適用できる。また、本発明は、利用者が駅の構内施設に入ってＷＥＢアクセスしたときに列車の発車時刻や遅れ等のローカルエリア関連情報をユーザ端末装置１０に表示する場合にも適用できる。更に、本発明は、利用者が家庭（自宅建物）やオフィスに入ってＷＥＢアクセスしたときに入ったときに家庭やオフィス内のセキュリティ情報等のローカルエリア関連情報をユーザ端末装置１０に表示するなど、他の様々な用途に適用することができる。
【図面の簡単な説明】
【００３８】
【図１】本発明の実施形態に係る情報提供システムの概要を示す説明図。
【図２】同実施形態における情報提供システムの一構成例を示すブロック図。
【図３】ユーザ端末装置の一構成例を示す外観図。
【図４】ユーザ端末装置のハードウェア構成の一例を示す概略構成図。
【図５】飲食店内でその店に関連するローカルエリア関連情報をユーザ端末装置に提供する処理手順の一例を示すシーケンス図。
【図６】（ａ）は、ポータルサイトからユーザ端末装置に送信されるＷＥＢコンテンツの記述内容の一例を示す説明図。（ｂ）は、ポータルサイトからのＷＥＢページに追加表示される追加表示コンテンツの記述内容の一例を示す説明図。
【図７】（ａ）は、ポータルサイトのＷＥＢコンテンツの表示画面の一例を示す説明図。（ｂ）は、飲食店のローカルエリア関連情報の表示画面の一例を示す説明図。
【図８】他の実施形態に係るローカルエリア関連情報の提供の処理手順の一例を示すシーケンス図。
【符号の説明】
【００３９】
１    利用者
２    飲食店のスタッフ
１０  ユーザ端末装置
１７  表示部
２０  コンピュータ装置
３０  小型基地局
６０  ポータルサイトのＷＥＢサーバ
７０  通信ネットワーク
９２０  店舗のサービス提供エリア
９３０  無線通信可能エリア
【図２】
2010136139.tif 000003
【図３】
2010136139.tif 000004
【図４】
2010136139.tif 000005
【図５】
2010136139.tif 000006
【図６】
2010136139.tif 000007
【図８】
2010136139.tif 000008
【図１】
2010136139.tif 000009
【図７】
2010136139.tif 000010